(57)【要約】【課題】  トイレにおいて男性の残存水滴状便露を処置してその飛散を防止し、トイレの清浄化を図る簡易構造の紳士衛生用水溶性ペーパケースを提供する。【解決手段】  箱体１内に折り畳み連結収納されている小片の水溶性ペーパ２は片手の指先で簡単に引き出され、引き出し後に残存便露を拭きとることができる。これにより、トイレの清浄化が図れる。【選択図】  図１
0003132498.tif 000002
【実用新案登録請求の範囲】
【請求項１】
小片の水溶性ペーパと、該水溶性ペーパを多数枚折り畳み積重して収納する箱体と、該箱体の上面に貼着されその中央部に丸状孔を形成する合成樹脂製のペーパとからなり、水洗可能なトイレに設置されて主として男性の小用の用済時において残水滴を拭き取るために使用される水溶性ペーパ収納ケースであって前記丸状孔が前記水溶性ペーパの取り出しが可能で指先の挿脱の大きさから形成されることを特徴とする紳士衛生用水溶性ペーパケース。
【請求項２】
前記紳士衛生用水溶性ペーパケースが前記トイレの壁部に着脱可能に固定されることを特徴とする請求項１に記載の紳士衛生用水溶性ペーパケース。
【考案の詳細な説明】
【技術分野】
【０００１】
本考案は、トイレで使用される水溶性ペーパを収納するケースに係り、特に、男性の小用の用済後に残存している便露を簡単に処理してトイレ内の清潔化を図るに好適な紳士衛生用水溶性ペーパケースに関する。
【背景技術】
【０００２】
ペーパケースとしては各種のものが存在しているが、主に鼻紙用のものやちょっとしたヨダレ等を除去する等の目的に使用されるティシュペーパケースが主体である。また、このティシュペーパケースに関する公知技術も数多く存在するが、その主なるものは、ティシュの取り出しが容易にできるものや、ティシュの入れ替えが円滑に行われる等のものが殆どである。その１つの公知技術として「特許文献１」が挙げられる。
【特許文献１】特開平１１−２６７０６４号（図１）
【考案の開示】
【考案が解決しようとする課題】
【０００３】
「特許文献１」の「特開平１１−２６７０６４号」の「省資源テッシュペーパケース」は、テッシュペーパケース（１）の蓋部分（３）に従来品よりも広い取り出し口（２）を設け、この蓋部分（３）をティシュの収納部分（４）の上に着離可能に貼着できるようにしてティシュの収容量に合わせてケースの大きさを変え、かつティシュの取り出しを容易にしたものである。このティシュペーパケースとしては特殊のものであるが、従来、一般に使用されているものとしては前記のようにティシュの取り出しが容易にでき、省資源化を可能とすることを目的とするものが殆どである。また、ティシュペーパとしては非溶水性のものが殆どであり、トイレ等において使用を禁止されている。
【０００４】
男性が小用をする場合、子供の場合は少ないが成人男子の場合、小用済時には水滴状の便露が残り、これを始末するための動作が必要になる。そのため、残存している水滴状の便露が周囲に飛散し、便器やその周辺や下着等を汚す問題点があり、後の清掃時における大きな負担となり、衛生上も問題となる。
【０００５】
以上の問題点の解決としては、用済後に片手で簡単に小片の水溶性ペーパが引き出しすることができて残存の便露を拭き取ることができるものが望まれる。
【０００６】
本考案は、以上の要請に鑑みて考案されたものであり、小用の用済後に残存する水滴状の便露を綺麗に除去でき、トイレに捨てることができ容器や周辺の汚れを防止することができ衛生的効果もある簡便構造の紳士衛生用水溶性ペーパケースを提供することを目的とする。
【課題を解決するための手段】
【０００７】
本考案は、以上の目的を達成するために、請求項１の考案は、小片の水溶性ペーパと、該水溶性ペーパを多数枚折り畳み積重して収納する箱体と、該箱体の上面に貼着されその中央部に丸状孔を形成する合成樹脂製のペーパとからなり、水洗可能なトイレに設置されて主として男性の小用の用済時において残水滴を拭き取るために使用される水溶性ペーパ収納ケースであって前記丸状孔が前記水溶性ペーパの取り出しが可能で指先の挿脱の大きさから形成されることを特徴とする。
【０００８】
また、請求項２の考案は、前記紳士衛生用水溶性ペーパケースが、前記トイレの壁部に着脱可能に固定されることを特徴とする。
【考案の効果】
【０００９】
本考案の請求項１の紳士衛生用水溶性ペーパケースによれば、箱体の上面からはみ出している最上部の小片の水溶性ペーパの紙片は片手の指先で簡単に引き出すことができ、同時に引き出された紙片に連結されている次の紙片が、円滑に引き出され、最上部の紙片が持ち去られても箱体の上面からはみ出した状態で残り、次の使用が引き続き可能になる。また、丸状孔のため、引き出された紙片が丸みをおび、指先でつまんで容易に取り扱うことができる。また、次の紙片の引き出し姿が丸みをおびているため安定状態でケース上に保持される。この丸み形状により用済後の残存便露を綺麗に拭き取ることができると共に小片のティシュのため容易にトイレに水流し除去することができる。
【００１０】
また、本考案の請求項２の紳士衛生用水溶性ペーパケースによれば、本考案の紳士衛生用水溶性ペーパケースはトイレの固定部分の壁部に着離可能に取り付けられるため、最も使用し易い場所に設置可能であり取扱性の向上が図れる。
【考案を実施するための最良の形態】
【００１１】
以下、本考案の紳士衛生用水溶性ペーパケースの実施の形態を図面を参照して詳述する。図１は本考案の紳士衛生用水溶性ペーパケース１００の全体構造を示す斜視図である。紳士衛生用水溶性ペーパケース１００は、大別して箱体１と、この内部に収納されている小片の水溶性ペーパ２等とからなる。
【００１２】
箱体１は例えば、紙片を折り畳みして箱状にしたものからなり、その上面には丸孔３が開口形成される。箱体１の丸孔３のある上面の裏側にて合成樹脂製のペーパ４が貼着され、このペーパ４には丸孔３とほぼ同心の丸状孔５が開口形成される。なお、この丸状孔５は円形孔又はこれに近いものであればよく図３（ａ），（ｂ），（ｃ）その数例が示されている。なお、角状のものは水洗用ペーパ２の取り出しとその取り出し時の形態が望ましくないため採用しない。また、丸状孔５により箱体１内に収納されている水溶性ペーパ２を容易に取り出しできる。また、丸状孔５は指先の挿脱可能のものであればよく、特別な寸法を形成するものではない。
【００１３】
水溶性ペーパ２はトイレで通常使用されているトイレットペーパと同質なものであればよく、便器内に使い捨て出来るものであればよい。但し、通常使用されているティシュペーパよりも薄いものでもよく、指先でつまみ出すことのできる小片のものでよい。なお、通常使用されているティシュペーパのように図２に示す如く折り畳みして積重されるものが使用される。また、図２に示すように一番上の水溶性ペーパ２は丸孔５に臨んだ位置に配置されることが望ましい。
【００１４】
次に、本考案の紳士衛生用水溶性ペーパケース１００の使用方法を説明する。箱体１内に収納されている水溶性ペーパ２は丸孔５内に指先６を入れて指先６ではさみ込むことにより図４に示すように容易に取り出しができる。この場合、丸孔６のため、取り出された水溶性ペーパ２は図示のように丸みをおびた状態となり、取り出しが容易であり、かつ図５に示すように取り出し形態が安定状に保持される。また、取り出しされた後の次の水溶性ペーパ２も丸みをおびた状態で箱体１の丸孔からはみ出した状態で保持される。よって、次の取り出しが容易となる。
【００１５】
図６に示すように、本考案の紳士衛生用水溶性ペーパケース１００は通常男女兼用のトイレ７のある便所の壁部８に着脱可能に設置される。男性９は小用をすませた後、紳士衛生用水溶性ペーパケース１００から図４，図５に示すように小片の水溶性ペーパ２を片手の指先６により取り出し残存している便露を拭き取り除去することが容易にできる。また、用済の水溶性ペーパ２は水溶性のためトイレ７内に捨てて水流し処置することができる。以上により、トイレ内の清浄化が図れる。
【産業上の利用可能性】
【００１６】
本考案の紳士衛生用水溶性ペーパケースは、以上の説明のように男性用の残存便露を処理するために利用するものであるが、勿論、この目的に限定するものではなく、片手で小片を引き出して使用するすべての用途に適用されることは勿論であり、その利用範囲は広い。
【図面の簡単な説明】
【００１７】
【図１】本考案の紳士衛生用水溶性ペーパケースの全体構造を示す斜視図。
【図２】図１の紳士衛生用水溶性ペーパケースの内部構造を示すＡ−Ａ線断面図。
【図３】箱体の丸状孔の形状の数例を示す平面図（ａ），（ｂ），（ｃ）。
【図４】本考案の紳士衛生用水溶性ペーパケースの使用方法を説明するための模式図。
【図５】本考案の紳士衛生用水溶性ペーパケースの使用方法を説明するための模式図。
【図６】本考案の紳士衛生用水溶性ペーパケースのトイレ内での使用方法を説明するための模式図。
【符号の説明】
【００１８】
１      箱体
２      水溶性ペーパ
３      丸孔
４      合成樹脂ペーパ
５      丸状孔
６      指先
７      トイレ
８      壁部
９      男性
１００  紳士衛生用水溶性ペーパケース
【図１】
0003132498.tif 000003
【図２】
0003132498.tif 000004
【図３】
0003132498.tif 000005
【図４】
0003132498.tif 000006
【図５】
0003132498.tif 000007
【図６】
0003132498.tif 000008